(57)【特許請求の範囲】
【請求項１】
リソースプールの集合に含まれる１つ以上のリソースプールについて通知するように構成される構成通知手段と、
端末デバイスが競合ベースの伝送の実行を要求する場合、前記集合内の前記リソースプールの少なくとも１つにおいて前記競合ベースの伝送が実行されるように、前記端末デバイスを制御するように構成される制御手段と、
前記集合内の前記リソースプールの少なくとも１つに対し、前記端末デバイスのための各々のタグを提供するように構成されるタグ提供手段と、
を備える装置であって、
前記リソースプールはそれぞれ１つ以上のリソースユニットを含み、前記リソースユニットはそれぞれ、周波数帯、期間、および符号化空間の少なくとも１つによって定義され、
前記タグはそれぞれ、前記リソースプールのチャネル状態、前記リソースプールの負荷状況、および前記リソースプールの予測される容量の少なくとも１つに関する情報を含む、
装置。
【請求項２】
前記構成通知手段は、
前記１つ以上のリソースプールについてブロードキャスティングによって通知するように構成されるか、または
前記１つ以上のリソースプールについて前記端末デバイス専用のシグナリングによって通知するように構成されるか
の少なくとも一方である、請求項１に記載の装置。
【請求項３】
前記制御手段は、前記リソースプールの集合が複数のリソースプールを含む場合、前記端末デバイスが前記競合ベースの伝送を実行してもよい、前記集合内の前記リソースプールの数を示すように構成される、請求項１または２に記載の装置。
【請求項４】
前記端末デバイスが前記競合ベースの伝送を実行してもよい持続時間を示すように構成される時間指示手段と、
前記集合の有効持続時間を示すように構成される有効性指示手段と、
前記周波数帯、前記期間、および前記符号化空間を分割する各々の単位を示すように構成される単位指示手段と、
の少なくとも１つをさらに備える、請求項１から３のいずれかに記載の装置。
【請求項５】
前記集合内の前記リソースプールの少なくとも１つに対し、各々の変調方式および各々の符号化方式の少なくとも１つを導出するように構成される導出手段と、
前記リソースプールの前記少なくとも１つに対する前記各々の変調方式および前記各々の符号化方式の前記少なくとも１つについて前記端末デバイスに通知するように構成される方式通知手段と、
をさらに備える、請求項１から４のいずれかに記載の装置。
【請求項６】
前記端末デバイスが前記集合内の前記リソースプールの前記少なくとも１つにおいて前記競合ベースの伝送を実行することを禁止するように構成される禁止手段をさらに備える、請求項１から５のいずれかに記載の装置。
【請求項７】
前記端末デバイスから受信された前記競合ベースの伝送を評価するように構成される評価手段と、
前記リソースプールの前記集合におけるスケジュールされた伝送のスケジューリングを抑制するように構成されるスケジューリング抑制手段と、
の少なくとも１つをさらに備える、請求項１から６のいずれかに記載の装置。
【請求項８】
受信された第１の構成メッセージに基づいて、リソースプールの第１の集合に含まれる１つ以上のリソースプールについて学習するように構成される構成学習手段と、
選択された少なくとも１つのリソースプールにおいて競合ベースの伝送を実行してよいことを示す、受信された制御指示に基づいて、前記リソースプールの第１の集合から前記選択された少なくとも１つのリソースプールを選択するように構成される選択手段と、
伝送デバイスに対し、前記選択された少なくとも１つのリソースプールにおける前記競合ベースの伝送の実行を命令するように構成される命令手段と、
を備える装置であって、
前記リソースプールはそれぞれ１つ以上のリソースユニットを含み、前記リソースユニットはそれぞれ、周波数帯、期間、および符号化空間の少なくとも１つによって定義され、
前記競合ベースの伝送は、前記選択された少なくとも１つのリソースプールの前記周波数帯、前記期間、および前記符号化空間の前記少なくとも１つにおいて実行され、
前記選択手段は、前記第１の集合内の前記リソースプールの１つ以上用に受信された各々のタグに基づいて、前記選択された少なくとも１つのリソースプールを選択するように構成され、
前記タグはそれぞれ、前記各々のリソースプールのチャネル状態、前記各々のリソースプールの負荷状況、および前記各々のリソースプールの予測される容量の少なくとも１つに関する情報を含む、
装置。
【請求項９】
前記第１の構成メッセージは、
ブロードキャスティング信号に含まれるか、または
前記装置専用のシグナリングに含まれるか、
の少なくとも一方である、請求項８に記載の装置。
【請求項１０】
前記リソースプールの第１の集合は複数のリソースプールを含み、
前記受信された制御指示は、前記命令手段が前記伝送デバイスに対し、前記選択された少なくとも１つのリソースプールにおける前記競合ベースの伝送の実行を命令してよい、前記第１の集合内の前記リソースプールの数を示し、
前記選択手段は、前記示された数の選択されたリソースプールまたは前記示された数より少ない選択されたリソースプールを選択するように適合させられ、
前記競合ベースの伝送は、前記選択された少なくとも１つのリソースプールの前記周波数帯、前記期間、および前記符号化空間の前記少なくとも１つにおいて実行される、
請求項８または９に記載の装置。
【請求項１１】
前記第１の構成メッセージが受信された場合に、前記命令手段を起動して前記伝送デバイスに命令させるように構成される起動手段をさらに備える、請求項８または９に記載の装置。
【請求項１２】
受信された有効性指示から、前記第１の集合の有効持続時間を学習するように構成される有効性学習手段と、
前記第１の集合が有効であるかを確認するように構成される有効性確認手段と、
前記第１の集合が有効でない場合、前記選択された少なくとも１つのリソースプールに基づいて前記命令手段が前記伝送デバイスに命令することを防止するように構成される防止手段と、
をさらに備える、請求項８から１１のいずれかに記載の装置。
【請求項１３】
前記第１の集合が有効でない場合、前記リソースプールの１つ以上がリソースプールの第２の集合に含まれていることを示す第２の構成メッセージの受信を監視するように構成される監視手段をさらに備え、
前記命令手段は、前記第２の集合内の１つ以上のリソースプールに基づいて前記伝送デバイスに命令するように構成される、
請求項１２に記載の装置。
【請求項１４】
受信された方式指示から、前記第１の集合内の前記リソースプールの少なくとも１つに対する各々の変調方式および各々の符号化方式の少なくとも１つを学習するように構成される方式学習手段と、
前記選択された少なくとも１つのリソースプールの少なくとも１つに対する前記各々の変調方式および前記各々の符号化方式の前記少なくとも１つを決定するように構成される方式決定手段と、をさらに備え、
前記命令手段は、前記伝送デバイスに対し、前記選択された少なくとも１つのリソースプールにおいて伝送を行うための前記各々の変調方式および前記各々の符号化方式の前記決定された少なくとも１つを用いることを命令するように構成される、
請求項８から１３のいずれかに記載の装置。
【請求項１５】
時間学習手段および禁止学習手段の少なくとも１つをさらに備え、
前記時間学習手段は、受信された時間指示から、前記命令手段が前記伝送デバイスに対し、前記選択された少なくとも１つのリソースプールにおける前記競合ベースの伝送の実行を命令してよい持続時間を学習するように適合させられ、
前記禁止学習手段は、禁止指示が受信されたことを学習するように適合させられ、
前記装置は、前記持続時間の少なくとも１つが経過し、前記禁止指示が受信された場合、前記命令手段が前記伝送デバイスに対し、前記選択された少なくとも１つのリソースプールにおける前記競合ベースの伝送の実行を命令することを抑制するように構成される指示抑制手段をさらに備え、
前記競合ベースの伝送は、前記選択された少なくとも１つのリソースプールの前記周波数帯、前記期間、および前記符号化空間の前記少なくとも１つにおいて実行される、
請求項８から１４のいずれかに記載の装置。
【請求項１６】
リソースプールの集合に含まれる１つ以上のリソースプールについて通知することと、
端末デバイスが競合ベースの伝送の実行を要求する場合、前記集合内の前記リソースプールの少なくとも１つにおいて前記競合ベースの伝送が実行されるように、前記端末デバイスを制御することと、
前記集合内の前記リソースプールの少なくとも１つに対し、前記端末デバイスのための各々のタグを提供することと、
を含む方法であって、
前記リソースプールはそれぞれ１つ以上のリソースユニットを含み、前記リソースユニットはそれぞれ、周波数帯、期間、および符号化空間の少なくとも１つによって定義され、
前記タグはそれぞれ、前記リソースプールのチャネル状態、前記リソースプールの負荷状況、および前記リソースプールの予測される容量の少なくとも１つに関する情報を含む、
方法。
【請求項１７】
受信された第１の構成メッセージに基づいて、リソースプールの第１の集合に含まれる１つ以上のリソースプールについて学習することと、
選択された少なくとも１つのリソースプールにおいて競合ベースの伝送を実行してよいことを示す、受信された制御指示に基づいて、前記リソースプールの第１の集合から前記選択された少なくとも１つのリソースプールを選択することと、
伝送デバイスに対し、前記選択された少なくとも１つのリソースプールにおける前記競合ベースの伝送の実行を命令することと、
を含む方法であって、
前記リソースプールはそれぞれ１つ以上のリソースユニットを含み、前記リソースユニットはそれぞれ、周波数帯、期間、および符号化空間の少なくとも１つによって定義され、
前記競合ベースの伝送は、前記選択された少なくとも１つのリソースプールの前記周波数帯、前記期間、および前記符号化空間の前記少なくとも１つにおいて実行され、
前記選択することは、前記第１の集合内の前記リソースプールの１つ以上用に受信された各々のタグに基づいて、前記選択された少なくとも１つのリソースプールを選択することを含み、
前記タグはそれぞれ、前記各々のリソースプールのチャネル状態、前記各々のリソースプールの負荷状況、および前記各々のリソースプールの予測される容量の少なくとも１つに関する情報を含む、
方法。
【請求項１８】
装置の処理手段に実行されると、前記装置に、請求項１６または１７に記載の方法を遂行させるように構成される命令セットを備える、コンピュータプログラム。
【発明の詳細な説明】
【技術分野】
【０００１】
本発明は競合ベースの無線リソース管理に関する装置、方法、およびコンピュータプログラム製品に関し、特に、それ以外の場合は伝送がスケジュールされる、競合ベースの無線リソース管理に関する装置、方法、およびコンピュータプログラム製品に関する。
略語
【０００２】
３ＧＰＰ    （Third Generation Partnership Project）第３世代パートナーシッププロジェクト
５Ｇ    （5th Generation）第５世代移動通信システム
ＣＲＣ    （Cyclic Redundancy Check）巡回冗長検査
Ｃ‐ＲＮＴＩ    （Cell Radio Network Temporary Identifier）セル無線ネットワーク一時識別子
Ｄ２Ｄ    （Device to Device）デバイス間（通信）
ＤＬ    （Downlink）ダウンリンク
Ｅ２Ｅ    （End to End）エンドツーエンド
ＬＴＥ    （Long Term Evolution）ロングタームエボリューション
ＬＴＥ−Ａ    （LTE Advanced）ロングタームエボリューションアドバンスト
ＭＣＳ    （Modulation and Coding Scheme）変調・符号化方式
ＰＨＹ    （Physical）物理（層）
ＱｏＳ    （Quality of Service）クオリティオブサービス
ＲＡＮ    （Radio Access Network）無線アクセスネットワーク
ＲＧ    （Resource Group）リソースグループ
ＲＰ    （Resource Pool）リソースプール
ＲＲＣ    （Radio Resource Control）無線リソース制御
ＲＵ    （Resource Unit）リソースユニット
ＳＩＢ    （System Information Block）システム情報ブロック
ＳＲＳ    （Sounding Reference Signal）サウンディング参照信号
ＴＢ    （Transport Block）トランスポートブロック
ＴＴＩ    （Transmission Time Interval）送信時間間隔
Ｔｘ    （Transmit）送信
ＵＥ    （User Equipment）ユーザ装置
ＵＬ    （Uplink）アップリンク
Ｖ２Ｖ    （Vehicle to Vehicle）車車間（通信）
Ｖ２Ｘ    （Vehicle to eXternal）車両対他装置（通信）
ＷＧ    （Working Group）ワーキンググループ
Ｘ２    ｅＮｏｄｅＢ同士の相互接続に用いるインタフェース
【背景技術】
【０００３】
ＬＴＥ／ＬＴＥ−Ａから進化した５Ｇまたは次世代無線システムでは、特にスモールパケット指向の設計が扱われる可能性がある。この文脈においてスモールパケットとは、一般的に、エアインタフェースを介して単一のトランスポートブロックで送信でき、セルの使用可能な無線リソースのほんの一部しか消費しない中サイズのペイロードである。スモールパケットの検討は、従来のスケジュールされたアクセス方式を用いる場合のシグナリングオーバヘッドの観点から、費用がかかると考えられている。そのような場合、低い制御オーバヘッドとエンドツーエンドの低遅延の点で高い伝送効率を達成するためには、物理層リソース管理およびスケジューリング手法において小さいペイロードの特徴に対応する必要がある。
【０００４】
産業界や学術界によると、スモールパケットの伝送には、商用と公衆安全の両方における利用の面から大きな需要があることが知られている。これらの利用とは、例えばスマートメータリングや大災害監視、インテリジェントホーム、Ｖ２ＶおよびＶ２Ｘ（歩行者／インフラストラクチャ）などである。また、かなり小さいペイロードによってネットワークやピアと相互作用するアプリケーションがスマートフォンや他の家電にインストールされている場合がある。
【０００５】
一般に、現在運用されているＬＴＥ／ＬＴＥ−ＡまたはＧＳＭ（登録商標）ネットワークはこの目的に対応しているが、以下のように明らかな欠点がある。
ａ．    ＬＴＥ／ＬＴＥ−Ａの場合、システムと制御手順が主に広帯域かつ高データ伝送速度用に設計されている。したがって、小さいペイロードの場合、物理的な伝送ブロックサイズに対して制御オーバヘッドが比較的大きくなるため、伝送効率が低くなる場合がある。制御オーバヘッドを低減するために半永続的スケジューリングが導入されているが、多様なトラフィックタイプに対応するには柔軟さに欠ける。
ｂ．    小さいペイロードの配信におけるＥ２Ｅ遅延をさらに短縮することが、一部の用途（例えばＶ２Ｖ／Ｖ２Ｘ）に求められており、また一部の研究によって提案されている。ＬＴＥ制御手順の現在のフレームワークはスケジュールベースであり、上記の要件を、特にＵＬスケジューリングについて、満たさない場合がある。
ｃ．    制御オーバヘッドの制約により、同時に提供される端末番号が、大量の端末アクセスに対応するいくつかの状況の要件を満たせない場合がある。
【０００６】
したがって、スモールパケットの伝送を促進し、マルチキャリアシステムに組み込むために、ＵＬ競合ベース方式を採用することを提案する。エアインタフェースのリソースグリッドをカスタマイズすることができるであろう。また、対応する制御手順および設計についてさらに検討する必要がある。
【０００７】
競合ベースの伝送では、ネットワークの観点からは、競合ベースの伝送の実行を許可されている任意の端末が、競合ベースの伝送を許可されているチャネルで、任意のタイミングでデータ伝送を行ってもよい（先着順）。衝突を回避するために、キャリアセンス機構を用いてもよい。各端末は、伝送を試行する前にそのチャネルを検知する。
【０００８】
物理層におけるスモールパケット指向設計に関する研究は、３ＧＰＰにおいてまだ詳細には行われていない。３ＧＰＰ  ＲＡＮ  ＷＧ１において、マシン型通信に関するいくつかの研究では、カバー率の拡大、複雑さの低減、および消費電力の削減に重点を置いていた。先行技術は、３ＧＰＰの成果の一部、５Ｇを対象とした研究論文、および特許文書も網羅している。
１.    3GPP TS 36.213
２.    3GPP TS 36.331
３.    3GPP TR 36.888, Study on provision of low-cost Machine-Type Communications (MTC) User Equipments (UEs) based on LTE（ＬＴＥに基づく低コストのマシン型通信（ＭＴＣ）ユーザ機器（ＵＥ）の提供に関する研究）
４.    Kelvin Au, Liqing Zhang, Hosein Nikopour, Eric Yi, Alireza Bayesteh, Usa Vilaipornsawai, Jianglei Ma, and Peiying Zhu, "Uplink Contention Based SCMA for 5G Radio Access（５Ｇ無線アクセス用のアップリンク競合ベースのＳＣＭＡ）", Huawei
５.    Y. Chen and W. Wang, "Machine-to-Machine Communication in LTEA（ＬＴＥＡにおけるマシン間通信）"
【０００９】
上記の文献のいくつかは、Ｄ２Ｄ（Device to Device）の近傍サービス（Proximity Service：ＰｒｏＳｅ）用のリソースプール設計について記載しているが、リソースプールの構造および制御手順に、スモールパケット設計の伝送効率が考慮されていない。他のいくつかの文献は、競合ベースのランダムアクセスまたはＵＬデータ伝送に関するいくつかの解決策を提示している。
【発明の概要】
【００１０】
本発明の目的は、先行技術を改良することである。
【００１１】
本発明の第１の態様によると、装置が提供される。前記装置は、リソースプールの集合に含まれる１つ以上のリソースプールについて通知するように構成される構成通知手段と、端末デバイスが競合ベースの伝送の実行を要求する場合、前記集合内の前記リソースプールの少なくとも１つにおいて前記競合ベースの伝送が実行されるように、前記端末デバイスを制御するように構成される制御手段と、を備える。前記リソースプールはそれぞれ１つ以上のリソースユニットを含み、前記リソースユニットはそれぞれ、周波数帯、期間、および符号化空間の少なくとも１つによって定義される。
【００１２】
前記構成通知手段は、前記１つ以上のリソースプールについてブロードキャスティングによって通知するように適合させられてもよい。また、前記構成通知手段は、前記１つ以上のリソースプールについて前記端末デバイス専用のシグナリングによって通知するように適合させられてもよい。
【００１３】
前記制御手段は、前記リソースプールの集合が複数のリソースプールを含む場合、前記端末デバイスが前記競合ベースの伝送を実行してもよい、前記集合内の前記リソースプールの数を示すように適合させられてもよい。
【００１４】
前記装置は、前記端末デバイスが前記競合ベースの伝送を実行してもよい持続時間を示すように構成される時間指示手段と、前記集合の有効持続時間を示すように構成される有効性指示手段と、前記周波数帯、前記期間、および前記符号化空間を分割する各々の単位を示すように構成される単位指示手段と、の少なくとも１つをさらに備えてもよい。
【００１５】
前記装置は、前記集合内の前記リソースプールの少なくとも１つに対し、各々の変調方式および各々の符号化方式の少なくとも１つを導出するように構成される導出手段と、前記リソースプールの前記少なくとも１つに対する前記各々の変調方式および前記各々の符号化方式の前記少なくとも１つについて前記端末デバイスに通知するように構成される方式通知手段と、をさらに備えてもよい。
【００１６】
前記装置は、前記集合内の前記リソースプールの少なくとも１つに対し、前記端末デバイスのための各々のタグを提供するように構成されるタグ提供手段をさらに備えてもよい。前記タグはそれぞれ、前記リソースプールのチャネル状態、前記リソースプールの負荷状況、および前記リソースプールの予測される容量の少なくとも１つに関する情報を含む。
【００１７】
前記装置は、前記端末デバイスが前記集合内の前記リソースプールの前記少なくとも１つにおいて前記競合ベースの伝送を実行することを禁止するように構成される禁止手段をさらに備えてもよい。
【００１８】
前記装置は、前記端末デバイスから受信された前記競合ベースの伝送を評価するように構成される評価手段と、前記リソースプールの前記集合におけるスケジュールされた伝送のスケジューリングを抑制するように構成されるスケジューリング抑制手段と、の少なくとも１つをさらに備えてもよい。
【００１９】
本発明の第２の態様によると、装置が提供される。前記装置は、受信された第１の構成メッセージに基づいて、リソースプールの第１の集合に含まれる１つ以上のリソースプールについて学習するように構成される構成学習手段と、選択された少なくとも１つのリソースプールにおいて競合ベースの伝送を実行してよいことを示す、受信された制御指示に基づいて、前記リソースプールの第１の集合から前記選択された少なくとも１つのリソースプールを選択するように構成される選択手段と、伝送デバイスに対し、前記選択された少なくとも１つのリソースプールにおける前記競合ベースの伝送の実行を命令するように構成される命令手段と、を備える。前記リソースプールはそれぞれ１つ以上のリソースユニットを含み、前記リソースユニットはそれぞれ、周波数帯、期間、および符号化空間の少なくとも１つによって定義される。前記競合ベースの伝送は、前記選択された少なくとも１つのリソースプールの前記周波数帯、前記期間、および前記符号化空間の前記少なくとも１つにおいて実行される。
【００２０】
前記第１の構成メッセージは、ブロードキャスティング信号に含まれてもよい。また、前記第１の構成メッセージは、前記装置専用のシグナリングに含まれてもよい。
【００２１】
前記リソースプールの第１の集合は複数のリソースプールを含んでもよく、前記受信された制御指示は、前記命令手段が前記伝送デバイスに対し、前記選択された少なくとも１つのリソースプールにおける前記競合ベースの伝送の実行を命令してよい、前記第１の集合内の前記リソースプールの数を示してもよく、前記選択手段は、前記示された数の選択されたリソースプールまたは前記示された数より少ない選択されたリソースプールを選択するように適合させられてもよい。前記競合ベースの伝送は、前記選択された少なくとも１つのリソースプールの前記周波数帯、前記期間、および前記符号化空間の前記少なくとも１つにおいて実行される。
【００２２】
前記装置は、前記第１の構成メッセージが受信された場合に、前記命令手段を起動して前記伝送デバイスに命令させるように構成される起動手段をさらに備えてもよい。
【００２３】
前記装置は、受信された有効性指示から、前記第１の集合の有効持続時間を学習するように構成される有効性学習手段と、前記第１の集合が有効であるかを確認するように構成される有効性確認手段と、前記第１の集合が有効でない場合、前記選択された少なくとも１つのリソースプールに基づいて前記命令手段が前記伝送デバイスに命令することを防止するように構成される防止手段と、をさらに備えてもよい。
【００２４】
前記装置は、前記第１の集合が有効でない場合、前記リソースプールの１つ以上がリソースプールの第２の集合に含まれていることを示す第２の構成メッセージの受信を監視するように構成される監視手段をさらに備えてもよい。前記命令手段は、前記第２の集合内の１つ以上のリソースプールに基づいて前記伝送デバイスに命令するように適合させられてもよい。
【００２５】
前記装置は、受信された方式指示から、前記第１の集合内の前記リソースプールの少なくとも１つに対する各々の変調方式および各々の符号化方式の少なくとも１つを学習するように構成される方式学習手段と、前記選択された少なくとも１つのリソースプールの少なくとも１つに対する前記各々の変調方式および前記各々の符号化方式の前記少なくとも１つを決定するように構成される方式決定手段と、をさらに備えてもよい。前記命令手段は、前記伝送デバイスに対し、前記選択された少なくとも１つのリソースプールにおいて伝送を行うための前記各々の変調方式および前記各々の符号化方式の前記決定された少なくとも１つを用いることを命令するように適合させられてもよい。
【００２６】
前記選択手段は、前記第１の集合内の前記リソースプールの１つ以上用に受信された各々のタグに基づいて、前記選択された少なくとも１つのリソースプールを選択するように適合させられてもよい。前記タグはそれぞれ、前記各々のリソースプールのチャネル状態、前記各々のリソースプールの負荷状況、および前記各々のリソースプールの予測される容量の少なくとも１つに関する情報を含む。
【００２７】
前記装置は、時間学習手段および禁止学習手段の少なくとも１つをさらに備えてもよい。前記時間学習手段は、受信された時間指示から、前記命令手段が前記伝送デバイスに対し、前記選択された少なくとも１つのリソースプールにおける前記競合ベースの伝送の実行を命令してよい持続時間を学習するように適合させられ、前記禁止学習手段は、禁止指示が受信されたことを学習するように構成される。前記装置は、前記持続時間の少なくとも１つが経過し、前記禁止指示が受信された場合、前記命令手段が前記伝送デバイスに対し、前記選択された少なくとも１つのリソースプールにおける前記競合ベースの伝送の実行を命令することを抑制するように構成される指示抑制手段をさらに備えてもよい。前記競合ベースの伝送は、前記選択された少なくとも１つのリソースプールの前記周波数帯、前記期間、および前記符号化空間の前記少なくとも１つにおいて実行される。
【００２８】
本発明の第３の態様によると、装置が提供される。前記装置は、リソースプールの集合に含まれる１つ以上のリソースプールについて通知するように構成される構成通知回路と、端末デバイスが競合ベースの伝送の実行を要求する場合、前記集合内の前記リソースプールの少なくとも１つにおいて前記競合ベースの伝送が実行されるように、前記端末デバイスを制御するように構成される制御回路と、を備える。前記リソースプールはそれぞれ１つ以上のリソースユニットを含み、前記リソースユニットはそれぞれ、周波数帯、期間、および符号化空間の少なくとも１つによって定義される。
【００２９】
前記構成通知回路は、前記１つ以上のリソースプールについてブロードキャスティングによって通知するように構成されてもよい。また、前記構成通知回路は、前記１つ以上のリソースプールについて前記端末デバイス専用のシグナリングによって通知するように構成されてもよい。
【００３０】
前記制御回路は、前記リソースプールの集合が複数のリソースプールを含む場合、前記端末デバイスが前記競合ベースの伝送を実行してもよい、前記集合内の前記リソースプールの数を示すように構成されてもよい。
【００３１】
前記装置は、前記端末デバイスが前記競合ベースの伝送を実行してもよい持続時間を示すように構成される時間指示回路と、前記集合の有効持続時間を示すように構成される有効性指示回路と、前記周波数帯、前記期間、および前記符号化空間を分割する各々の単位を示すように構成される単位指示回路と、の少なくとも１つをさらに備えてもよい。
【００３２】
前記装置は、前記集合内の前記リソースプールの少なくとも１つに対し、各々の変調方式および各々の符号化方式の少なくとも１つを導出するように構成される導出回路と、前記リソースプールの前記少なくとも１つに対する前記各々の変調方式および前記各々の符号化方式の前記少なくとも１つについて前記端末デバイスに通知するように構成される方式通知回路と、をさらに備えてもよい。
【００３３】
前記装置は、前記集合内の前記リソースプールの少なくとも１つに対し、前記端末デバイスのための各々のタグを提供するように構成されるタグ提供回路をさらに備えてもよい。前記タグはそれぞれ、前記リソースプールのチャネル状態、前記リソースプールの負荷状況、および前記リソースプールの予測される容量の少なくとも１つに関する情報を含む。
【００３４】
前記装置は、前記端末デバイスが前記集合内の前記リソースプールの前記少なくとも１つにおいて前記競合ベースの伝送を実行することを禁止するように構成される禁止回路をさらに備えてもよい。
【００３５】
前記装置は、前記端末デバイスから受信された前記競合ベースの伝送を評価するように構成される評価回路と、前記リソースプールの前記集合におけるスケジュールされた伝送のスケジューリングを抑制するように構成されるスケジューリング抑制回路と、の少なくとも１つをさらに備えてもよい。
【００３６】
本発明の第４の態様によると、装置が提供される。前記装置は、受信された第１の構成メッセージに基づいて、リソースプールの第１の集合に含まれる１つ以上のリソースプールについて学習するように構成される構成学習回路と、選択された少なくとも１つのリソースプールにおいて競合ベースの伝送を実行してよいことを示す、受信された制御指示に基づいて、前記リソースプールの第１の集合から前記選択された少なくとも１つのリソースプールを選択するように構成される選択回路と、伝送デバイスに対し、前記選択された少なくとも１つのリソースプールにおける前記競合ベースの伝送の実行を命令するように構成される命令回路と、を備える。前記リソースプールはそれぞれ１つ以上のリソースユニットを含み、前記リソースユニットはそれぞれ、周波数帯、期間、および符号化空間の少なくとも１つによって定義される。前記競合ベースの伝送は、前記選択された少なくとも１つのリソースプールの前記周波数帯、前記期間、および前記符号化空間の前記少なくとも１つにおいて実行される。
【００３７】
前記第１の構成メッセージは、ブロードキャスティング信号に含まれてもよい。また、前記第１の構成メッセージは、前記装置専用のシグナリングに含まれてもよい。
【００３８】
前記リソースプールの第１の集合は複数のリソースプールを含んでもよく、前記受信された制御指示は、前記命令回路が前記伝送デバイスに対し、前記選択された少なくとも１つのリソースプールにおける前記競合ベースの伝送の実行を命令してよい、前記第１の集合内の前記リソースプールの数を示してもよく、前記選択回路は、前記示された数の選択されたリソースプールまたは前記示された数より少ない選択されたリソースプールを選択するように構成されてもよい。前記競合ベースの伝送は、前記選択された少なくとも１つのリソースプールの前記周波数帯、前記期間、および前記符号化空間の前記少なくとも１つにおいて実行される。
【００３９】
前記装置は、前記第１の構成メッセージが受信された場合に、前記命令回路を起動して前記伝送デバイスに命令させるように構成される起動回路をさらに備えてもよい。
【００４０】
前記装置は、受信された有効性指示から、前記第１の集合の有効持続時間を学習するように構成される有効性学習回路と、前記第１の集合が有効であるかを確認するように構成される有効性確認回路と、前記第１の集合が有効でない場合、前記選択された少なくとも１つのリソースプールに基づいて前記命令手段が前記伝送デバイスに命令することを防止するように構成される防止回路と、をさらに備えてもよい。
【００４１】
前記装置は、前記第１の集合が有効でない場合、前記リソースプールの１つ以上がリソースプールの第２の集合内に含まれていることを示す第２の構成メッセージの受信を監視するように構成される監視回路をさらに備えてもよい。前記命令回路は、前記第２の集合内の１つ以上のリソースプールに基づいて前記伝送デバイスに命令するように構成されてもよい。
【００４２】
前記装置は、受信された方式指示から、前記第１の集合内の前記リソースプールの少なくとも１つに対する各々の変調方式および各々の符号化方式の少なくとも１つを学習するように構成される方式学習回路と、前記選択された少なくとも１つのリソースプールの少なくとも１つに対する前記各々の変調方式および前記各々の符号化方式の前記少なくとも１つを決定するように構成される方式決定回路と、をさらに備えてもよい。前記命令回路は、前記伝送デバイスに対し、前記選択された少なくとも１つのリソースプールにおいて伝送を行うための前記各々の変調方式および前記各々の符号化方式の前記決定された少なくとも１つを用いることを命令するように構成されてもよい。
【００４３】
前記選択回路は、前記第１の集合内の前記リソースプールの１つ以上用に受信された各々のタグに基づいて、前記選択された少なくとも１つのリソースプールを選択するように構成されてもよい。前記タグはそれぞれ、前記各々のリソースプールのチャネル状態、前記各々のリソースプールの負荷状況、および前記各々のリソースプールの予測される容量の少なくとも１つに関する情報を含む。
【００４４】
前記装置は、時間学習回路および禁止学習回路の少なくとも１つをさらに備えてもよい。前記時間学習回路は、受信された時間指示から、前記命令回路が前記伝送デバイスに対し、前記選択された少なくとも１つのリソースプールおける前記競合ベースの伝送の実行を命令してよい持続時間を学習するように構成され、前記禁止学習回路は、禁止指示が受信されたことを学習するように構成される。前記装置は、前記持続時間の少なくとも１つが経過し、前記禁止指示が受信された場合、前記命令回路が前記伝送デバイスに対し、前記選択された少なくとも１つのリソースプールにおける前記競合ベースの伝送の実行を命令することを抑制するように構成される指示抑制回路をさらに備えてもよい。前記競合ベースの伝送は、前記選択された少なくとも１つのリソースプールの前記周波数帯、前記期間、および前記符号化空間の前記少なくとも１つにおいて実行される。
【００４５】
本発明の第５の態様によると、方法が提供される。前記方法は、リソースプールの集合に含まれる１つ以上のリソースプールについて通知することと、端末デバイスが競合ベースの伝送の実行を要求する場合、前記集合内の前記リソースプールの少なくとも１つにおいて前記競合ベースの伝送が実行されるように、前記端末デバイスを制御することと、を含む。前記リソースプールはそれぞれ１つ以上のリソースユニットを含み、前記リソースユニットはそれぞれ、周波数帯、期間、および符号化空間の少なくとも１つによって定義される。
【００４６】
前記１つ以上のリソースプールについて通知することは、ブロードキャスティングによって行ってもよい。また、前記１つ以上のリソースプールについて通知することは、前記端末デバイス専用のシグナリングによって行ってもよい。
【００４７】
前記方法は、前記リソースプールの集合が複数のリソースプールを含む場合、前記端末デバイスが前記競合ベースの伝送を実行してもよい、前記集合内の前記リソースプールの数を示すことをさらに含んでもよい。
【００４８】
前記方法は、前記端末デバイスが前記競合ベースの伝送を実行してもよい持続時間を示すことと、前記集合の有効持続時間を示すことと、前記周波数帯、前記期間、および前記符号化空間を分割する各々の単位を示すことと、の少なくとも１つをさらに含んでもよい。
【００４９】
前記方法は、前記集合内の前記リソースプールの少なくとも１つに対し、各々の変調方式および各々の符号化方式の少なくとも１つを導出することと、前記リソースプールの前記少なくとも１つに対する前記各々の変調方式および前記各々の符号化方式の前記少なくとも１つについて前記端末デバイスに通知することと、をさらに含んでもよい。
【００５０】
前記方法は、前記集合内の前記リソースプールの少なくとも１つに対し、前記端末デバイスのための各々のタグを提供することをさらに含んでもよい。前記タグはそれぞれ、前記リソースプールのチャネル状態、前記リソースプールの負荷状況、および前記リソースプールの予測される容量の少なくとも１つに関する情報を含む。
【００５１】
前記方法は、前記端末デバイスが前記集合内の前記リソースプールの前記少なくとも１つにおいて前記競合ベースの伝送を実行することを禁止することをさらに含んでもよい。
【００５２】
前記方法は、前記端末デバイスから受信された前記競合ベースの伝送を評価することと、前記リソースプールの前記集合におけるスケジュールされた伝送のスケジューリングを抑制することと、の少なくとも１つをさらに含んでもよい。
【００５３】
本発明の第６の態様によると、方法が提供される。前記方法は、受信された第１の構成メッセージに基づいて、リソースプールの第１の集合に含まれる１つ以上のリソースプールについて学習することと、選択された少なくとも１つのリソースプールにおいて競合ベースの伝送を実行してよいことを示す、受信された制御指示に基づいて、前記リソースプールの第１の集合から前記選択された少なくとも１つのリソースプールを選択することと、伝送デバイスに対し、前記選択された少なくとも１つのリソースプールにおける前記競合ベースの伝送の実行を命令することと、を含む。前記リソースプールはそれぞれ１つ以上のリソースユニットを含み、前記リソースユニットはそれぞれ、周波数帯、期間、および符号化空間の少なくとも１つによって定義される。
【００５４】
前記第１の構成メッセージは、ブロードキャスティング信号に含まれてもよい。また、前記第１の構成メッセージは、前記方法を実行する装置専用のシグナリングに含まれてもよい。
【００５５】
前記リソースプールの第１の集合は複数のリソースプールを含んでもよく、前記受信された制御指示は、前記伝送デバイスが、前記選択された少なくとも１つのリソースプールにおける前記競合ベースの伝送の実行を命令されてもよい、前記第１の集合内の前記リソースプールの数を示してもよく、前記示された数の選択されたリソースプールまたは前記示された数より少ない選択されたリソースプールが選択されてもよい。前記競合ベースの伝送は、前記選択された少なくとも１つのリソースプールの前記周波数帯、前記期間、および前記符号化空間の前記少なくとも１つにおいて実行される。
【００５６】
前記方法は、前記第１の構成メッセージが受信された場合に、前記伝送デバイスへの命令を起動することをさらに含んでもよい。
【００５７】
前記方法は、受信された有効性指示から、前記第１の集合の有効持続時間を学習することと、前記第１の集合が有効であるかを確認することと、前記第１の集合が有効でない場合、前記選択された少なくとも１つのリソースプールに基づいて前記伝送デバイスに命令することを防止することと、をさらに含んでもよい。
【００５８】
前記方法は、前記第１の集合が有効でない場合、前記リソースプールの１つ以上がリソースプールの第２の集合内に含まれていることを示す第２の構成メッセージの受信を監視することをさらに含んでもよい。前記伝送デバイスは、前記第２の集合内の１つ以上のリソースプールに基づいて命令される。
【００５９】
前記方法は、受信された方式指示から、前記第１の集合内の前記リソースプールの少なくとも１つに対する各々の変調方式および各々の符号化方式の少なくとも１つを学習することと、前記選択された少なくとも１つのリソースプールの少なくとも１つに対する前記各々の変調方式および前記各々の符号化方式の前記少なくとも１つを決定することと、をさらに含んでもよい。前記伝送デバイスは、前記選択された少なくとも１つのリソースプールにおいて伝送を行うための前記各々の変調方式および前記各々の符号化方式の前記決定された少なくとも１つを用いることを命令されてもよい。
【００６０】
前記選択された少なくとも１つのリソースプールは、前記第１の集合内の前記リソースプールの１つ以上用に受信された各々のタグに基づいて選択されてもよい。前記タグはそれぞれ、前記各々のリソースプールのチャネル状態、前記各々のリソースプールの負荷状況、および前記各々のリソースプールの予測される容量の少なくとも１つに関する情報を含む。
【００６１】
前記方法は、受信された時間指示から、前記伝送デバイスが、前記選択された少なくとも１つのリソースプールにおける前記競合ベースの伝送の実行を命令されてもよい持続時間を学習することと、禁止指示が受信されたことを学習することと、の少なくとも１つをさらに含んでもよい。前記方法は、前記持続時間の少なくとも１つが経過し、前記禁止指示が受信された場合、前記伝送デバイスに対し、前記選択された少なくとも１つのリソースプールにおける前記競合ベースの伝送の実行を命令することを抑制することをさらに含んでもよい。前記競合ベースの伝送は、前記選択された少なくとも１つのリソースプールの前記周波数帯、前記期間、および前記符号化空間の前記少なくとも１つにおいて実行される
【００６２】
第５の態様および第６の態様の各方法は、競合ベースの無線リソース管理の方法であってもよい。
【００６３】
本発明の第７の態様によると、一式の命令を含み、装置上で実行された場合、第５の態様および第６の態様のいずれかの方法を前記装置に実行させるように構成されるコンピュータプログラム製品が提供される。前記コンピュータプログラム製品は、コンピュータ可読媒体として実施されるか、またはコンピュータに直接ロード可能であってもよい。
【００６４】
本発明のいくつかの例示的実施形態によると、以下の技術的効果の少なくとも１つが提供される。
・  スケジュールされた伝送と競合ベースの伝送が同じリンク上に共存できる。
・  エアインタフェースにおいてリソースを柔軟に配置できる。
・  ネットワーク操作者が、競合ベースの伝送に対するリソースの制御を維持できる。
・  オーバヘッドが削減され、特に小さいペイロードに対する伝送効率が向上する。
・  小さいペイロードに対するＥ２Ｅ遅延が短縮される。
【００６５】
上記の変形例は、いずれも代替例を除外すると明記していない限り、参照するそれぞれの態様に対して単独でまたは組み合わせて適用することができると理解されたい。
【図面の簡単な説明】
【００６６】
さらなる詳細、特徴、目的、および利点は、以下に示す本発明を実施するための形態を添付の図面と併せて読むことでより明らかとなる。
【図１】図１は、本発明の例示的実施形態によるリソースグリッドを示す図である。
【図２】図２は、本発明の例示的実施形態によるシステムを示す図である。
【図３】図３は、本発明の例示的実施形態によるシステムを示す図である。
【図４】図４は、本発明の例示的実施形態による装置を示す図である。
【図５】図５は、本発明の例示的実施形態による方法を示す図である。
【図６】図６は、本発明の例示的実施形態による装置を示す図である。
【図７】図７は、本発明の例示的実施形態による方法を示す図である。
【図８】図８は、本発明の例示的実施形態による装置を示す図である。
【ある実施例の詳細説明】
【００６７】
以下、添付図面を参照しながら本発明の特定の例示的実施形態を詳細に説明するが、特に記載していない限り、これらの例示的実施形態の特徴は、互いに自由に組み合わせることができる。しかしながら、いくつかの実施形態の説明は一例として行うものにすぎず、開示する詳細に本発明を限定するものとしては決して理解すべきではないことを明確に理解されたい。
【００６８】
さらに、場合によっては装置のみまたは方法のみしか説明しないが、装置は、対応する方法を実行するように構成されると理解されたい。
【００６９】
本発明のいくつかの実施形態により、スモールパケット指向の競合ベースの伝送、対応する無線リソース管理方法、および制御の選択肢について概略を示す。競合ベース方式を促進するために、リソース管理およびネットワーク支援機構に関するいくつかの具体的な設計についても詳述する。これにより、競合ベースのアクセスに関するエアインタフェース構造、制御手順、および無線リソース管理の選択肢について開示する。
【００７０】
本発明のいくつかの実施形態は、ＵＰ競合ベースの伝送に関する。以下にさらに詳細な説明を示すが、本発明はそれに限定されない。本発明の実施形態は、競合ベースの伝送をＤ２Ｄ通信に用いる場合に採用してもよい。
【００７１】
本発明のいくつかの実施形態によると、ネットワークとＵＥとの間の手順が、引用した先行技術に提案されているものと異なる。
【００７２】
本発明のいくつかの実施形態によると、エアインタフェースはリソースグリッドとして配置される。そのようなリソースグリッドの例を図１に示している。図１は、エアインタフェースが多数のタイムスロット（横軸）と周波数帯（縦軸）に分割されている状態を示している。リソースグリッド内の各四角形がＲＵである。同じ模様のＲＵは同じリソースプール（ＲＰ）に属する。各ＲＵは、１つのＲＰだけに属するか、ＲＰに属さないかのいずれかである。図１の例において、ネットワーク（ｅＮＢ）は、模様のあるＲＰを競合ベースの伝送に割り当て、模様のないＲＵはスケジュールされた伝送およびランダムアクセス伝送に用いる。したがって、ｅＮＢ内のスケジューリング抑制手段により、競合ベースの伝送に割り当てられたＲＰに属するＲＵにおいて、スケジュールされた伝送のスケジューリングが抑制される場合がある。
【００７３】
ＵＥのＰＨＹ層の観点から、競合ベースのアクセスに使用可能なリソースはリソースプール（ＲＰ）レベルで定義される。ＲＰは、時間領域および／または周波数領域および／または符号領域（図１に示さない）において多重化される１つ以上のリソースユニット（ＲＵ）で構成される。
【００７４】
リソースグリッドに特定の次元（時間、周波数、符号）が示されていない場合、その領域全体を競合ベースのアクセスに用いてもよいことを意味する場合がある。図１の例では、競合ベースの伝送に予定される各ＲＵに任意の符号を用いてもよい。
【００７５】
ＲＵの最小単位は、１ｍｓ（時間）未満または１８０ｋＨｚ（周波数）未満であってもよい。一般に、時間の単位はＸ秒であってもよく、周波数の単位はＹＨｚであってもよい。ここでＸおよびＹは、エアインタフェース構造に即して異なる値を取ってもよい。例えばＬＴＥの場合、Ｘ＝１ｍｓ（ＴＴＩサイズに対応）およびＹ＝１８０ｋＨｚの複数の物理リソースブロック（Physical Resource Block：ＰＲＢ）であってもよい。５Ｇの場合、ＸおよびＹの値は異なる場合があり、例えば、より小さいＴＴＩサイズを反映してＸ＝０．２ｍｓなどとなる。
【００７６】
ＲＰ内の各ＲＵの最小単位は構成可能であってもよい。ｅＮＢは、単位指示手段によって単位を通知してもよい。単位の例は以下のとおりである。
・  時間領域：［０．２、０．２５、０．５、１］ｍｓ
・  周波数領域：［９０、１８０、３６０、１０８０］ｋＨｚ
【００７７】
直交周波数分割多重（Orthogonal Frequency Division Multiplexing：ＯＦＤＭ）／シングルキャリア周波数分割複数アクセス（Single−Carrier Frequency−Division MultipleAccess：ＳＣ−ＦＤＭＡ）波形の場合、周波数領域における最小単位は複数のサブキャリアであってもよい。フィルタバンクマルチキャリアやゼロテールＯＦＤＭなどの他のマルチキャリア波形の場合、周波数領域における最小単位は、１つまたは複数のフィルタされたシングルキャリアになりうる。
【００７８】
ｅＮＢは、１つ以上のＲＰを用いてＵＥを構成する。各ＵＥは、１つまたは複数のＲＰを用いて構成されてもよい。したがって、ネットワークの（ｅＮＢの）観点から、ＲＰおよびＲＵの数およびサイズはトラフィックの負荷／タイプ、ＱｏＳ要件などを考慮して設定できる。ｅＮＢ側では、構成通知手段がＲＰについてＵＥに通知してもよい。ＵＥ側では、構成学習手段がｅＮＢからＲＰについて学習してもよい。
【００７９】
各ＲＰは階層的な単位に対応してもよい。例えば、ＵＥは、１伝送ブロックの伝送に対して｛１、２、４｝個のＲＵを任意で用いてもよい。記号｛ａ、ｂ｝は「ａまたはｂのいずれか」を意味する。１伝送ブロックの伝送に用いられるＲＵは、リソースグループ（Resource Group：ＲＧ）と称してもよい。各ＲＵは、１つ以上のリソースグループ（ＲＧ）の一部であってもよい。例において、ＲＧのサイズは｛１、２、４｝ＲＵであってもよいが、このサイズはこれらの値に限定されない。図１に示す例において、ＲＰ＃４は１２個のＲＵを所有している。ＲＵ＃０は、例えば、<ＲＵ＃０>を含むＲＧ、<ＲＵ＃０とＲＵ＃１>を含むＲＧ、および<ＲＵ＃０、ＲＵ＃１、ＲＵ＃２、およびＲＵ＃３>を含むＲＧの一部である場合がある。記号<ａ、ｂ>は、グループが「ａおよびｂからなる」ことを定義する。サポートされる任意のＲＧサイズはネットワークによって構成してもよく、リソースプール構成パラメータの一部であってもよい。
【００８０】
リソースプールは、様々な状況に対応するために、狭帯域（低コストおよび周波数選択ゲインを考慮して）であっても広帯域（周波数ダイバーシティ）であってもよい。例えば、
・  ＲＰ＃１、５、および６は狭帯域リソースプールの例であり、
・  ＲＰ＃２、３、および４は広帯域リソースプールの例である。
【００８１】
狭帯域（局所的）ＲＰは周波数選択アクセスから利益を得る。ＲＰ／ＲＵパターンに基づくＵＬ測定は、スケジューリングと競合ベースの伝送の両方に役立つ場合がある。ＵＬ伝送の場合、狭帯域ＲＰは、ＵＬリソースの細分化を防ぎ、シングルキャリアの性質を維持する。
【００８２】
広帯域（分散）ＲＰは、周波数ダイバーシティゲインを達成するのに役立つ場合がある。ＲＵパターンに基づくＵＬ測定は、競合ベースの伝送においてＲＰ内のＲＵを選択するのに役立つ場合がある。
【００８３】
セル固有／共有リソースプールの場合、構成をＳＩＢで伝送してもよい。ＵＥ固有リソースプールの場合、ＲＲＣシグナリングまたはＰＨＹ層シグナリングによって構成を伝送してもよい。リソースプールの構成はＤＬ制御チャネルを介して示してもよい。この場合、構成済みまたは固定の構成の集合のうちの１つを示す１つのインデックスを用いることができる。
【００８４】
ＵＥの様々な機能に対応するために、１つのＲＰ内のＲＵは、時間領域において不連続的であっても連続的であってもよい。周波数の位置がＲＵ毎に変更される場合、複雑性の低いいくつかのＵＥ（すなわち、単一の発振器を備えたＵＥ）は、複数のＲＵが伝送に選択されたときに、再チューニングのためにいくらかの時間を要することがある。
【００８５】
ＵＬ競合ベースの伝送の制御／起動の際、ｅＮＢはＵＥに、競合ベースのアクセスのために使用を許可されたＲＰを示すＵＬ許可を送信する。このために、ｅＮＢは制御手段を備えてもよく、これに対応してＵＥは選択手段を備えてもよい。ＵＬ許可はトリガとして機能してもよい。すなわち、ＵＥはこの許可を受信しない限り競合ベースの伝送を実行してはならず、許可の受領後に競合ベースの伝送を行ってもよい。ＵＥにおいて、トリガは起動手段によって実行されてもよい。これによって、事前に定義された数以下のＵＥが、競合ベースの伝送に用いてもよい特定のＲＰを示す許可を受信するため、競合をある特定の許可内に制限することができる。この事前定義された数は、ＲＰ内のＲＵの数および／またはその単位に応じて異なってもよい。
【００８６】
この許可には、示されたＲＰにおける競合ベースの伝送がどれだけ長く許可されるか（有効時間）の指示が含まれてもよい。この有効時間は、期間数または持続時間で示してもよい。有効時間について通知するために、ｅＮＢは時間指示手段を用いてもよい。ＵＥ側では、時間学習手段が有効時間を学習してもよく、有効時間の経過後に、各ＲＰにおける競合ベースの通信を抑制手段が抑制してもよい。
【００８７】
ネットワーク（例えばＳＩＢまたはＲＲＣシグナリングによる通知）によって許可された場合、ＵＥは、ＲＰの集合の中から独自にＲＰ／ＲＵを選択してもよい。この場合、ＵＬ許可は不要である。すなわちＵＥは、許可の受信に関係なく競合ベースの伝送を実行する。
【００８８】
ネットワークは、ＵＥが適切なＲＰ／ＲＵをより効率的に選択できるように、何らかのネットワーク支援情報を提供してもよい。例えば、ネットワークは一群のＲＰ（この群は、ＵＥの競合ベースの伝送用に構成されたすべてのＲＰまたはその部分集合を含んでもよい）それぞれに対し、チャネル状態（干渉レベル）、負荷状況、および容量の少なくとも１つを反映するタグを提供してもよい。この支援情報はＵＥが、例えば、遅延、データ伝送速度などのアプリケーション／トラフィックの要件に基づいて最も適切なＲＰを選択するために用いてもよい。ｅＮＢ側では、タグ提供手段によってこのタグを提供してもよく、ＵＥ側では、選択手段によってこのタグを評価してもよい。
【００８９】
有効時間の指示に加えて、またはその代わりに、ネットワーク（例えば禁止手段）によって物理ダウンリンク制御シグナリングを用いて、競合ベースの通信を終了させてもよい。競合ベースの通信の終了後、ＵＥはスケジュールされたアクセスのみを実行する。これは、禁止学習手段および抑制手段によって行われてもよい。
【００９０】
ＵＥの識別情報またはアドレスは、データの前に制御ヘッダもプリアンブルも伝送されない場合、ＰＨＹ層ＴＢのＣＲＣ内で添付またはマスクしてもよく、ＭＡＣ層ヘッダまたはアプリケーション層パケット内で添付してもよい。
【００９１】
本発明のいくつかの実施形態において、各ＲＰは特定のＭＣＳレベルに関連付けられてもよく、ｅＮＢは導出手段によってＭＣＳレベルを導出し、方式通知手段によってＵＥに通知してもよい。これに対し、ＵＥは方式学習手段によってＭＣＳレベルを学習し、方式学習手段によって学習した情報に基づいて、競合ベースの伝送用に選択されたＲＰのＭＣＳレベルを特定してもよい。すなわち、当該ＲＰにおいて伝送を行うＵＥは、当該特定のＭＣＳレベルを用いる。このように、特定のＵＥが１つのＲＰを選択すると、ＭＣＳが自動的に選択される。ネットワークは、ＲＲＣシグナリング、ＳＩＢ、またはＰＨＹ制御チャネルを介して各ＲＰのＭＣＳを構成してもよい。
【００９２】
本発明のいくつかの実施形態において、ＳＩＢは、スモールパケットの競合ベースの送受信を促進する追加情報を提供する。この追加情報は、以下のうち少なくとも１つを含んでもよい。
・  スモールパケット指向のエアインタフェースと操作がネットワークでサポートされているかどうかの指示。すなわち、セルが本発明の実施形態に属しているかどうか。
・  スモールパケットの送受信指向の操作がサポートされている場合、特定の共有ＲＰをＳＩＢ内に任意で構成してもよい。
・  ＲＰ構成は、トラフィックの状態に適合させてもよい。この場合、ＵＥは再度ＳＩＢを読み取り、必要に応じて特定の期間内に更新してもよい。更新速度または期間はＳＩＢを介して、例えば有効性指示手段によって示されてもよく、ＵＥで有効性学習手段によって受信されてもよい。その後ＵＥは、例えば有効性確認手段によって、構成（ＲＰの集合）がまだ有効であるかを確認し、有効でない場合、当該構成における競合ベースの伝送を（例えば防止手段によって）防止してもよい。また、ＵＥの監視手段が、新しい（更新された）構成がｅＮＢから受信されたかを監視してもよい。これによって、メッセージのページングのオーバヘッドの一部が低減される。
・  共有ＲＰはそれぞれ、チャネル状態、負荷状況、および容量の少なくとも１つを反映するタグによって示されてもよい。このタグはＵＥが、例えば、遅延、データ伝送速度などのアプリケーション／トラフィックの要件に基づいて最も適切なＲＰを選択するために用いてもよい。
【００９３】
ＳＩＢ関連の拡張機能によって、アイドルモードのＵＥに対しＵＬ競合ベースの伝送を促進してもよい。アイドルモードのＵＥは、ＲＲＣ接続を有さない。したがって、これらのＵＥはＵＥ固有のＲＰ構成を取得できない。ただし、アイドルモードのＵＥはＳＩＢのＲＰ構成を読み取ってもよい。したがって、これらのＵＥは、競合ベースの伝送のために１つ以上の共有ＲＰにアクセスしてもよい。つまり、アイドルモードのＵＥと接続モードのＵＥの両方が、ＳＩＢによってＲＰ構成を提供することから利益を得てもよい。
【００９４】
アイドルモードのＵＥがＳＩＢのＲＰ構成を読み取り、したがって、セル内におけるＵＬ競合ベースのアクセス用のＲＰに関する知識を取得する場合、このＵＥは接続モードへの移行後直ちにＵＬ競合ベースのアクセスを開始してもよい。これによって、いくらかの遅延および制御シグナリングのオーバヘッドが軽減される。
【００９５】
ＲＰに関連する構成は、ＳＩＢの代わりにＲＲＣシグナリングまたは新しい物理チャネルを介して行ってもよい。
【００９６】
本発明のいくつかの実施形態によるＵＬ競合ベースの伝送の解決策では、ＵＬ競合ベースのスモールパケットの伝送をサポートするネットワークを運用可能である。リソース管理と制御のフレームワークにおいて、伝送効率、遅延、および／またはアクセス能力に関する様々な要件および状況に対応してもよい。適切なネットワーク制御レベルを採用し、リソース構成のパラメータ（例えば、リソースの量、単位など）を選択することで、様々なＱｏＳおよび容量が求められるアプリケーションの状況にネットワークで柔軟に対応してもよい。
【００９７】
従来のＵＬリソース割当ておよびＭＣＳ選択は、ｅＮＢ側でのＳＲＳ測定とスケジューリングの実行に主に依存している。しかしながら、ＵＬの自律的な競合ベースの伝送の場合、ネットワークからの支援なしでは、ＵＥによって行われる干渉測定の信頼性が低くなる。これはほとんどの場合、見積もられる干渉に、ｅＮＢの受信機が実際に経験する干渉が正しく反映されないからである。
【００９８】
上記の課題に対応するために、本発明のいくつかの実施形態は、何らかのネットワーク支援をＲＰに関連する構成の手順と共に提供する。図２および図３に２つの例を示す。これらの例において、ｅＮＢ＃１は各ＲＰについて大まかなチャネル推定と干渉測定が可能であると仮定する。干渉推定の精度を改善するために、セル／ｅＮＢ間に何らかの協調（３１）を採用することができる。このため、図２では、本発明の方法をそれぞれ実行するｅＮＢ＃１およびＵＥ＃１に加えて、他のｅＮＢ（ｅＮＢ＃２および＃３）と他のＵＥ（ＵＥ＃２および＃３）をサービングリンク（実線矢印）および干渉リンク（点線矢印）と共に示している。ただし、他のｅＮＢおよびＵＥは存在しなくてもよく、あるいは、他の数のｅＮＢおよびＵＥが存在してもよい。
【００９９】
図２に示す、本発明のいくつかの実施形態による例示的実装は以下のとおりである。
ステップ１：ｅＮＢ＃１が、構成された各ＲＰのＭＣＳレベルをＲＲＣシグナリング、ＳＩＢ、またはＰＨＹ制御チャネルを介して指示する。ＲＰ構成には以下が含まれるが、これらに限定されない。
・  時間／周波数／符号領域におけるＲＵの物理的単位
・  １つのＴＢ伝送でサポートされるＲＧサイズ。これは１つまたは複数のＲＵになりうる。
・  時間／周波数／符号領域における、全体的な使用可能リソースの位置境界／ビットマッピング
・  ＲＰ／ＲＧ／ＲＵパターンに関連するパラメータ。例えば図１では、隣接するＲＵ間の周波数領域オフセット。これは０、２、４、または｛−１、１｝と｛−２、２｝との切り替えになりうる。サポートされるＲＧは１、２、４ＲＵになりうる。
・  電源制御に関連するパラメータ
・  有効期間または更新速度に関するパラメータ
・  各共有ＲＰは、チャネル状態（干渉レベル）、負荷状況、および／または容量を反映するタグによって示されてもよい。このタグは、ＵＥが、遅延、データ伝送速度、ＱｏＳなどのアプリケーション／トラフィックの要件に基づいて最も適切なＲＰを選択するために用いる。
【０１００】
ステップ２：ＵＥ＃１が、ＲＰ毎の干渉レベル、およびチャネル状態、負荷状況および／または予測される容量を反映するタグなどの、上記のネットワーク支援情報の一部または全部を考慮してＲＰ／ＲＧ／ＲＵおよびＭＣＳを選択し、競合ベースの伝送を実行する。近隣セルのＵＥ（例えば、ＵＥ＃２、ＵＥ＃３）の電源変動の監視を考慮してもよい。
【０１０１】
ＨＡＲＱおよびＡｃｋ／Ｎａｃｋの詳細については本実施形態では説明しない。
【０１０２】
ステップ３：ｅＮＢ＃１は、ＲＰに関連する情報、特に干渉レベル、チャネル状態、負荷状況、および／または容量を、さらに更新してもよい。この決定は、競合ベースの通信のパフォーマンス、新しいアプリケーションの到着、容量の変化などに基づいて行われるであろう。更新は定期的であっても、イベントとして起動されてもよい。
【０１０３】
ＤＬ  ＰＨＹ制御シグナリングを用いて起動した競合ベースのアクセスについて、本発明の実施形態による例を図３に示している。図３では、本発明の実施形態による方法を実行するｅＮＢおよびＵＥ以外のｅＮＢおよびＵＥを示していないが、図２に示すｅＮＢ＃２と＃３およびＵＥ＃２と＃３が同様に存在してもよい。ｅＮＢはＵＥに、競合ベースのアクセスのために使用を許可されたＲＰを示すＵＬ許可を送信してもよい。ＵＬ許可はトリガとして機能する。したがって、ｅＮＢは、ある特別な許可に対する特定のＲＰ内の競合を制限してもよい。期間の有効数、または持続時間に関連するパラメータを含めてもよい。
【０１０４】
ステップ１１：ＲＰに関連する構成が、ＲＲＣシグナリングまたはＳＩＢを介してＵＥに送信される。
ステップ１２：ＰＨＹ制御シグナリングを用いて、競合ベースの伝送用に許可されたＲＰが示される。この許可はトリガとして機能する。
ステップ１３：ＵＥが、示されたＲＰにおいて競合方式で伝送を開始する。
ステップ１４：ｅＮＢは、ＰＨＹ制御シグナリングを介して競合ベースの伝送を無効にしても、または終了させてもよい。また、ｅＮＢは、ＲＰがこれ以降ＵＬ伝送用にスケジュールされていることを示してもよい。
【０１０５】
図３のＵＬ許可は単一のＲＰを含んでもよい。この場合、競合ベースの伝送はその単一のＲＰにおいて実行される。図３によるＵＬ許可が複数のＲＰを含む場合、ＵＥは競合ベースの伝送にそれらすべて（すなわち、それらの組合わせ）を用いてもよい。
【０１０６】
本発明のいくつかの実施形態において、前述のＰＨＹ制御シグナリングの代わりにＲＲＣシグナリングを用いてもよいことに注意されたい。
【０１０７】
図２および図３の実施形態間の主な違いは、図２では、ＵＥは構成されたＲＰから１つ以上のＲＰを選択してもよいが、図３では、ＵＥは選択なしで、起動されたＲＰにおいて伝送を行ってもよいという点である。したがって、図３のＵＥは、図２に関連して説明したようにネットワーク支援情報を必要としない。
【０１０８】
図４は、本発明の例示的実施形態による装置を示す図である。この装置は、ＮｏｄｅＢやｅＮｏｄｅＢなどの基地局、またはその要素であってもよい。図５は、本発明の例示的実施形態による方法を示す図である。図４による装置は、図５の方法を実行してもよいが、この方法に限られるわけではない。図５の方法は、図４の装置によって実行されてもよいが、この装置による実行に限られるわけではない。
【０１０９】
この装置は、構成通知手段５０および制御手段６０を備える。構成通知手段５０は構成通知回路であってもよく、制御手段６０は制御回路であってもよい。
【０１１０】
構成通知手段５０は、リソースプールの集合に含まれる１つ以上のリソースプールについて通知する（Ｓ５０）。各リソースプールは１つ以上のリソースユニットを含み、各リソースユニットは、周波数帯、期間、および符号化空間の少なくとも１つによって定義される。
【０１１１】
制御手段６０は、端末デバイス（例えばＵＥ）が競合ベースの伝送の実行を要求する場合、集合内の少なくとも１つのリソースプールにおいて競合ベースの伝送が実行されるように、端末デバイスを制御する（Ｓ６０）。すなわち、制御手段は、端末デバイスが集合内のリソースプールのうち少なくとも１つにおいて競合ベースの伝送を実行することを許可する。
【０１１２】
図２に示すもののような、本発明のいくつかの実施形態において、構成通知手段５０による通知には、許可手段による許可が含まれる。これらの実施形態において、構成通知手段５０と許可手段６０は同じ手段であってもよい。
【０１１３】
図３に示すもののような、本発明のいくつかの実施形態において、許可手段６０による許可には、競合ベースの伝送の起動が含まれる。
【０１１４】
図６は、本発明の例示的実施形態による装置を示す図である。この装置は、ＵＥなどの端末、またはその要素であってもよい。図７は、本発明の例示的実施形態による方法を示す図である。図６による装置は、図７の方法を実行してもよいが、この方法に限られるわけではない。図７の方法は、図６の装置によって実行されてもよいが、この装置による実行に限られるわけではない。
【０１１５】
この装置は、構成学習手段１００、選択手段１１０、および命令手段１２０を備える。学習手段１００は学習回路であってもよく、選択手段１１０は選択回路であってもよく、命令手段１２０は命令回路であってもよい。
【０１１６】
構成学習手段１００は、受信された構成メッセージに基づいて、リソースプールの集合に含まれる１つ以上のリソースプールについて学習する（Ｓ１００）。各リソースプールは１つ以上のリソースユニットを含み、各リソースユニットは、周波数帯、期間、および符号化空間の少なくとも１つによって定義される。
【０１１７】
選択手段１１０は、受信された許可指示に基づいて、リソースプールの集合から選択された少なくとも１つのリソースプールを選択する（Ｓ１１０）。許可指示には、当該選択された少なくとも１つのリソースプールにおける競合ベースの伝送が許可されることが示されている。
【０１１８】
図２に示すもののような、本発明のいくつかの実施形態において、構成メッセージの受信とは、リソースプールの集合において競合ベースの伝送を実行することの許可指示を意味する。
【０１１９】
図３に示すもののような、本発明のいくつかの実施形態において、許可指示とは、示されたリソースプールにおける競合ベースの伝送を起動するトリガと見なされてもよい。この場合、選択手段１１０は、許可指示に示されたリソースプールを「選択」する。
【０１２０】
命令手段１２０は、伝送デバイスに対し、選択された少なくとも１つのリソースプールの周波数帯、期間、および符号化空間の少なくとも１つにおける競合ベースの伝送の実行を命令する（Ｓ１２０）。伝送手段は、送受信機、例えば装置を構成する端末（ＵＥ）の送受信機であってもよい。この伝送手段は、リソースユニットによって形成されるリソースグリッドを認識する必要はない。
【０１２１】
図８は、本発明の例示的実施形態による装置を示す図である。この装置は、少なくとも１つのプロセッサ６１０と、コンピュータプログラムコードを含む少なくとも１つのメモリ６２０とを含む。前述の少なくとも１つのプロセッサ６１０は、前述の少なくとも１つのメモリ６２０およびコンピュータプログラムコードと共に、図５、図７、および関連する記述による方法の少なくとも１つを、装置に少なくとも実行させるように構成される。
【０１２２】
本発明の実施形態は、スモールパケットの伝送に特に有用である。しかしながら、本発明のいくつかの実施形態は、ラージパケットの伝送用に展開してもよい。
【０１２３】
本発明の実施形態は、競合ベースのアップリンク（端末から基地局への）伝送に採用してもよい。この場合、ｅＮＢ内の評価手段が、ＲＰ上のＵＥから受信された競合ベースの伝送を評価してもよい。一方、本発明のいくつかの実施形態は、Ｖ２ＶやＶ２ＸなどのＤ２Ｄ通信用に展開してもよい。
【０１２４】
端末は、対応するネットワークに接続できる任意の種類の端末であってよく、例えば、ＵＥ、ラップトップ、スマートフォン、携帯電話、マシン型通信の端末などであってもよい。
【０１２５】
１つの情報は１つまたは複数のメッセージとして、あるエンティティから別のエンティティに送信されてもよい。これらのメッセージはそれぞれ、さらなる（異なる）情報を含んでもよい。
【０１２６】
ネットワーク要素、プロトコル、および方法の名前は、最新の標準に基づく。同等の機能性を提供する限り、他のバージョンや技術においてこれらのネットワーク要素および／またはプロトコルおよび／または方法の名前は異なってもよい。
【０１２７】
別途記載しない限り、または文脈から明らかでない限り、２つのエンティティが異なるという記述は、それらが異なる機能を実行するという意味であり、必ずしも異なるハードウェアに基づくというわけではない。つまり、本説明において、各エンティティが異なるハードウェアに基づいてもよく、一部またはすべてのエンティティが同じハードウェアに基づいてもよい。エンティティは必ずしも異なるソフトウェアに基づくわけではない。つまり、本説明において、各エンティティが異なるソフトウェアに基づいてもよく、一部またはすべてのエンティティが同じソフトウェアに基づいてもよい。
【０１２８】
本発明のいくつかの例示的実施形態は、前述のとおり、３ＧＰＰネットワーク（例えばＬＴＥ、ＬＴＥ−Ａ、５Ｇネットワークなど）に適用してもよい。一方、本発明のいくつかの例示的実施形態は、スケジュールされた通信と競合ベースの通信の両方を実行できる、モバイルネットワークおよび固定ネットワークを含む任意の種類のネットワークに適用してもよい。
【０１２９】
上記の説明において、本発明の例示的実施形態は、例えば、ＮｏｄｅＢやｅＮｏｄｅＢなどの基地局、またはその構成要素（モデルマネージャなど）、該基地局を体現する装置、該基地局を制御および／または操作する方法、および該基地局を制御および／または操作するコンピュータプログラム、ならびに該コンピュータプログラムを格納してコンピュータプログラム製品を構成する媒体を提供することは明らかであろう。また、本発明の例示的実施形態は、例えば、ＵＥなどの端末またはその構成要素、該端末を体現する装置、該端末を制御および／または操作する方法、および該端末を制御および／または操作するコンピュータプログラム、ならびに該コンピュータプログラムを格納してコンピュータプログラム製品を構成する媒体を提供することは明らかであろう。
【０１３０】
上記のブロック、装置、システム、技術、手段、エンティティ、ユニット、デバイス、または方法の実装には、非限定的な例として、ハードウェア、ソフトウェア、ファームウェア、専用回路もしくは論理、汎用ハードウェアもしくは制御装置、またはその他のコンピュータ装置、仮想マシン、またはそれらの何らかの組合わせとしての実装が含まれる。
【０１３１】
実施形態の説明はほんの一例として示したものであり、添付の特許請求の範囲により定義される本発明の範囲から逸脱することなく、様々な変形を加えることができる。
【図１】
0006517425.tif 000002
【図２】
0006517425.tif 000003
【図３】
0006517425.tif 000004
【図４】
0006517425.tif 000005
【図５】
0006517425.tif 000006
【図６】
0006517425.tif 000007
【図７】
0006517425.tif 000008
【図８】
0006517425.tif 000009